(57)【要約】【課題】放送波を常に最適な状態で受信できるようにする。【解決手段】復調処理部４１は、増幅部２１、可変増幅部２３，２５により増幅された放送信号を復調する。ビット誤り訂正部４３、ブロック誤り訂正部４６、またはフレーム誤り訂正部４９は、復調される際に発生する誤りを訂正する誤り訂正する。ビットエラーレート計算部６１、フレームエラーレート計算部６２、またはブロックエラーレート計算部６３は、誤り訂正される誤り率を計算する。動作切替部６５ｃは、バイパススイッチ２２、可変増幅部２３，２５を複数の動作モードに動作を切り替える。エラーレート比較部６５ｂは、切り替えられる複数の動作モード毎に、誤り率を比較する。調整部６５は、比較結果に基づいて、最も誤り率が低い動作モードに動作を調整する。本発明は、携帯通信端末に適用することができる。【選択図】図１
2008294614.tif 000002
【特許請求の範囲】
【請求項１】
多チャンネルの番組が時分割送信される放送波を受信する受信手段と、
前記受信手段により受信した放送波に基づいた放送信号を増幅する増幅手段と、
前記増幅手段により増幅された放送信号を復調する復調手段と、
前記復調手段により復調される際に発生する誤りを訂正する誤り訂正手段と、
前記誤り訂正手段により誤り訂正される誤り率を計算する誤り率計算手段と、
前記増幅手段を複数の動作状態に動作を切り替える動作切替手段と、
前記動作切替手段により切り替えられる複数の動作状態毎に、前記誤り率を比較する比較手段と、
前記比較手段の比較結果に基づいて、最も誤り率が低い動作状態に前記増幅手段の動作状態を調整する調整手段と
を含む受信装置。
【請求項２】
前記受信手段が時分割多重されて送信されてくる前記多チャンネルの番組のうち、選択された番組の放送波を受信していないタイミングで、前記動作切替手段は、前記増幅手段を複数の動作状態に切り替え、前記比較手段は、前記動作切替手段により切り替えられる複数の動作状態毎に、前記誤り率を比較し、前記調整手段は、前記比較手段の比較結果に基づいて、最も誤り率が低い動作状態に前記増幅手段の動作状態を調整する
請求項１に記載の受信装置。
【請求項３】
前記増幅手段は、
バイパス機能を有し、固定増幅する第１の増幅手段と、
前記第１の増幅手段により増幅された信号を可変に増幅する第２の増幅手段と、
前記第２の増幅手段により増幅された信号を周波数変換する周波数変換手段と、
前記周波数変換手段により周波数変換された信号を可変増幅する第３の増幅手段とを含み、
前記動作切替手段は、前記バイパス機能のオンまたはオフ、並びに、前記第２および第３の増幅手段の増幅率の組み合わせを切り替えることにより動作状態を切り替え、
前記調整手段は、前記比較手段の比較結果に基づいて、前記バイパス機能のオンまたはオフ、並びに、前記第２および第３の増幅手段の増幅率の組み合わせを切り替えることにより動作状態を切り替え、最も誤り率が低い動作状態に前記増幅手段の動作状態を調整する
請求項１に記載の受信装置。
【請求項４】
前記誤り計算手段は、信号対雑音比、モジュレーションエラーレート、ビットエラーレート、ブロックエラーレート、またはフレームエラーレートのいずれかを前記誤り訂正手段により誤り訂正される誤り率として計算する
請求項１に記載の受信装置。
【請求項５】
多チャンネルの番組が時分割送信される放送波を受信する受信ステップと、
前記受信ステップの処理で受信した放送波に基づいた放送信号を増幅する増幅ステップと、
前記増幅ステップの処理により増幅された放送信号を復調する復調ステップと、
前記復調ステップの処理により復調される際に発生する誤りを訂正する誤り訂正ステップと、
前記誤り訂正ステップの処理により誤り訂正される誤り率を計算する誤り率計算ステップと、
前記増幅ステップの処理における複数の動作状態に動作を切り替える動作切替ステップと、
前記動作切替ステップの処理により切り替えられる複数の動作状態毎に、前記誤り率を比較する比較ステップと、
前記比較ステップの処理での比較結果に基づいて、最も誤り率が低い動作状態に前記増幅手段の動作状態を調整する調整ステップと
を含む受信方法。
【請求項６】
多チャンネルの番組が時分割送信される放送波を受信する受信ステップと、
前記受信ステップの処理で受信した放送波に基づいた放送信号を増幅する増幅ステップと、
前記増幅ステップの処理により増幅された放送信号を復調する復調ステップと、
前記復調ステップの処理により復調される際に発生する誤りを訂正する誤り訂正ステップと、
前記誤り訂正ステップの処理により誤り訂正される誤り率を計算する誤り率計算ステップと、
前記増幅ステップの処理における複数の動作状態に動作を切り替える動作切替ステップと、
前記動作切替ステップの処理により切り替えられる複数の動作状態毎に、前記誤り率を比較する比較ステップと、
前記比較ステップの処理での比較結果に基づいて、最も誤り率が低い動作状態に前記増幅手段の動作状態を調整する調整ステップと
を含む処理をコンピュータに実行させるプログラム。
【請求項７】
請求項６に記載のプログラムが格納されているプログラム格納媒体。
【発明の詳細な説明】
【技術分野】
【０００１】
本発明は、受信装置および方法、並びにプログラムに関し、特に、放送波を常に最適な状態で受信できるようにした受信装置および方法、並びにプログラムに関する。
【背景技術】
【０００２】
移動体機器で使用する放送波の受信方法について、日本では、複数のチャンネルを帯域毎に合成して放送波として送信するのに対して、欧州などでは、チューナの低消費電力化を図れるように受信装置の消費電力を100mW以下に抑えることを目標にして、DVB-H（デジタル放送の標準化団体DVB（Digital Video Broadcasting Project）が策定した携帯電話機に向けた地上デジタル放送の仕様）という仕様が策定されている。
【０００３】
このDVB-Hの特徴は、受信装置の低消費電力化に向けて「タイム・スライス」と「バースト送信」の考え方を導入したことにある。DVB-Hは、時分割で番組を多重送信するとともに、受信装置をきめ細かくオン/オフする。放送局は，映像を含む携帯電話向けマルチメディア・データをMPEG（Moving Picture Experts Group）2トランスポート・ストリームに多重化する際、番組ごとに広い帯域を一時的に占有してバースト的に送信する（バースト送信）。複数番組を多重化する場合には、占有する時間を数百秒乃至数秒ずらして送信する（各番組の送信単位をタイムスライスという）。DVB-H対応の受信装置は、所望の信号が到達しているときだけ受信装置を動作させる。受信装置のオン/オフのタイミングを決めるために、トランスポート・ストリームには次に所望のチャンネルの信号が到達するタイミングに関する情報も一緒に送信する（非特許文献１）。
【０００４】
また、DVB-Hの受信装置に関する省電力化および受信性能の向上に関する提案がなされている（特許文献１）。
【０００５】
【非特許文献１】日経エレクトロニクス２００４年２月２日号
【特許文献１】特公２００６−５２３４０２号公報
【発明の開示】
【発明が解決しようとする課題】
【０００６】
ところで、DVB-H方式の受信装置は、一般に携帯電話などのように電池駆動のシステムが多く、消費電力を削減することが強く要求されると共に、一方で受信性能の向上も要求される。
【０００７】
低消費電力と高性能を同時に満足するためには、現在の電波の状態（受信されている信号状態）に合わせて受信装置の特性を変更することが一般的に行われている。
【０００８】
ところが、受信装置の有する機能のみで現在の電波の状態を詳細に把握するのは困難であるため、受信装置の設定を実際に何通りか変更してみて、受信装置の内部で比較的容易に検出できる信号対雑音比、モジュレーションエラーレート、ビットエラーレートなどの情報を元に最適な設定をさがすのが一般的である。
【０００９】
電波の状態が安定している場合は初めて受信するときに上記のような方法で最適な値を探すことも可能であるが、移動体通信のように電波の状態が常に変化する場合、受信装置も常に最適な状態に追従することが求められる。
【００１０】
しかしながら、データが連続して送られてくる伝送方式の場合、受信機の特性を変更すると、特性を変更した瞬間や現在の電波の状態に適さない特性に切り替えたときにデータの劣化や欠落が起こることが通常であり、受信途中でデータの劣化や欠落なく、最適な特性を検出して自動で切り替えることは困難であった。
【００１１】
本発明はこのような状況に鑑みてなされたものであり、特に、時分割多重された状態で送信される放送波を常に最適な状態で受信できるようにするものである。
【課題を解決するための手段】
【００１２】
本発明の一側面の受信装置は、多チャンネルの番組が時分割送信される放送波を受信する受信手段と、前記受信手段により受信した放送波に基づいた放送信号を増幅する増幅手段と、前記増幅手段により増幅された放送信号を復調する復調手段と、前記復調手段により復調される際に発生する誤りを訂正する誤り訂正手段と、前記誤り訂正手段により誤り訂正される誤り率を計算する誤り率計算手段と、前記増幅手段を複数の動作状態に動作を切り替える動作切替手段と、前記動作切替手段により切り替えられる複数の動作状態毎に、前記誤り率を比較する比較手段と、前記比較手段の比較結果に基づいて、最も誤り率が低い動作状態に前記増幅手段の動作状態を調整する調整手段とを含む。
【００１３】
前記受信手段が時分割多重されて送信されてくる前記多チャンネルの番組のうち、選択された番組の放送波を受信していないタイミングで、前記動作切替手段には、前記増幅手段を複数の動作状態に切り替えるようにさせ、前記比較手段には、前記動作切替手段により切り替えられる複数の動作状態毎に、前記誤り率を比較させ、前記調整手段には、前記比較手段の比較結果に基づいて、最も誤り率が低い動作状態に前記増幅手段の動作状態を調整させるようにすることができる。
【００１４】
前記増幅手段には、バイパス機能を有し、固定増幅する第１の増幅手段と、前記第１の増幅手段により増幅された信号を可変に増幅する第２の増幅手段と、前記第２の増幅手段により増幅された信号を周波数変換する周波数変換手段と、前記周波数変換手段により周波数変換された信号を可変増幅する第３の増幅手段とを含ませるようにすることができ、前記動作切替手段には、前記バイパス機能のオンまたはオフ、並びに、前記第２および第３の増幅手段の増幅率の組み合わせを切り替えることにより動作状態を切り替えるようにさせることができ、前記調整手段には、前記比較手段の比較結果に基づいて、前記バイパス機能のオンまたはオフ、並びに、前記第２および第３の増幅手段の増幅率の組み合わせを切り替えることにより動作状態を切り替え、最も誤り率が低い動作状態に前記増幅手段の動作状態を調整させるようにすることができる。
【００１５】
前記誤り計算手段には、信号対雑音比、モジュレーションエラーレート、ビットエラーレート、ブロックエラーレート、またはフレームエラーレートのいずれかを前記誤り訂正手段により誤り訂正される誤り率として計算させるようにすることができる。
【００１６】
本発明の一側面の受信方法は、多チャンネルの番組が時分割送信される放送波を受信する受信ステップと、前記受信ステップの処理で受信した放送波に基づいた放送信号を増幅する増幅ステップと、前記増幅ステップの処理により増幅された放送信号を復調する復調ステップと、前記復調ステップの処理により復調される際に発生する誤りを訂正する誤り訂正ステップと、前記誤り訂正ステップの処理により誤り訂正される誤り率を計算する誤り率計算ステップと、前記増幅ステップの処理における複数の動作状態に動作を切り替える動作切替ステップと、前記動作切替ステップの処理により切り替えられる複数の動作状態毎に、前記誤り率を比較する比較ステップと、前記比較ステップの処理での比較結果に基づいて、最も誤り率が低い動作状態に前記増幅手段の動作状態を調整する調整ステップとを含む。
【００１７】
本発明の一側面のプログラムは、多チャンネルの番組が時分割送信される放送波を受信する受信ステップと、前記受信ステップの処理で受信した放送波に基づいた放送信号を増幅する増幅ステップと、前記増幅ステップの処理により増幅された放送信号を復調する復調ステップと、前記復調ステップの処理により復調される際に発生する誤りを訂正する誤り訂正ステップと、前記誤り訂正ステップの処理により誤り訂正される誤り率を計算する誤り率計算ステップと、前記増幅ステップの処理における複数の動作状態に動作を切り替える動作切替ステップと、前記動作切替ステップの処理により切り替えられる複数の動作状態毎に、前記誤り率を比較する比較ステップと、前記比較ステップの処理での比較結果に基づいて、最も誤り率が低い動作状態に前記増幅手段の動作状態を調整する調整ステップとを含む処理をコンピュータに実行させる。
【００１８】
本発明のプログラム格納媒体は、請求項６に記載のプログラムが格納されている。
【００１９】
本発明の受信装置および方法は、独立した装置であっても良いし、受信処理を行うブロックであっても良い。
【発明の効果】
【００２０】
本発明の一側面によれば、放送波を常に最適な状態で受信できるようにすることが可能となる。
【発明を実施するための最良の形態】
【００２１】
以下に本発明の実施の形態を説明するが、本明細書に記載の発明と、発明の実施の形態との対応関係を例示すると、次のようになる。この記載は、本明細書に記載されている発明をサポートする実施の形態が本明細書に記載されていることを確認するためのものである。従って、発明の実施の形態中には記載されているが、発明に対応するものとして、ここには記載されていない実施の形態があったとしても、そのことは、その実施の形態が、その発明に対応するものではないことを意味するものではない。逆に、実施の形態が発明に対応するものとしてここに記載されていたとしても、そのことは、その実施の形態が、その発明以外の発明には対応しないものであることを意味するものでもない。
【００２２】
さらに、この記載は、本明細書に記載されている発明の全てを意味するものではない。換言すれば、この記載は、本明細書に記載されている発明であって、この出願では請求されていない発明の存在、すなわち、将来、分割出願されたり、補正により出現、追加される発明の存在を否定するものではない。
【００２３】
即ち、本発明の一側面の受信装置は、多チャンネルの番組が時分割送信される放送波を受信する受信手段（例えば、図１のアンテナ２）と、前記受信手段により受信した放送波に基づいた放送信号を増幅する増幅手段（例えば、図１の増幅部２１、可変増幅部２３，２５）と、前記増幅手段により増幅された放送信号を復調する復調手段（例えば、図１の復調処理部４１）と、前記復調手段により復調される際に発生する誤りを訂正する誤り訂正手段（例えば、図１のビット誤り訂正部４３、ブロック誤り訂正部４６、またはフレーム誤り訂正部４９）と、前記誤り訂正手段により誤り訂正される誤り率を計算する誤り率計算手段（例えば、図１のビットエラーレート計算部６１、フレームエラーレート計算部６２、またはブロックエラーレート計算部６３）と、前記増幅手段を複数の動作状態に動作を切り替える動作切替手段（例えば、図１の動作切替部６５ｃ）と、前記動作切替手段により切り替えられる複数の動作状態毎に、前記誤り率を比較する比較手段（例えば、図１のエラーレート比較部６５ｂ）と、前記比較手段の比較結果に基づいて、最も誤り率が低い動作状態に前記増幅手段の動作状態を調整する調整手段（例えば、図１の調整部６５）とを含む。
【００２４】
前記受信手段が時分割多重されて送信されてくる前記多チャンネルの番組のうち、選択された番組の放送波を受信していないタイミングで、前記動作切替手段（例えば、図１の動作切替部６５ｃ）には、前記増幅手段を複数の動作状態に切り替えるようにさせ、前記比較手段（例えば、図１のエラーレート比較部６５ｂ）には、前記動作切替手段により切り替えられる複数の動作状態毎に、前記誤り率を比較させ、前記調整手段（例えば、図１の調整部６５）には、前記比較手段の比較結果に基づいて、最も誤り率が低い動作状態に前記増幅手段の動作状態を調整させるようにすることができる。
【００２５】
前記増幅手段には、バイパス機能（例えば、図１のバイパススイッチ２２）を有し、固定増幅する第１の増幅手段（例えば、図１の増幅部２１）と、前記第１の増幅手段により増幅された信号を可変に増幅する第２の増幅手段（例えば、図１の可変増幅部２３）と、前記第２の増幅手段により増幅された信号を周波数変換する周波数変換手段（例えば、図１の周波数変換部２４）と、前記周波数変換手段により周波数変換された信号を可変増幅する第３の増幅手段（例えば、図１の可変増幅部２５）とを含ませるようにすることができ、前記動作切替手段（例えば、図１の動作切替部６５ｃ）には、前記バイパス機能のオンまたはオフ、並びに、前記第２および第３の増幅手段の増幅率の組み合わせを切り替えることにより動作状態を切り替えるようにさせることができ、前記調整手段（例えば、図１の調整部６５）には、前記比較手段の比較結果に基づいて、前記バイパス機能のオンまたはオフ、並びに、前記第２および第３の増幅手段の増幅率の組み合わせを切り替えることにより動作状態を切り替え、最も誤り率が低い動作状態に前記増幅手段の動作状態を調整させるようにすることができる。
【００２６】
前記誤り計算手段（例えば、図１のビットエラーレート計算部６１、フレームエラーレート計算部６２、またはブロックエラーレート計算部６３）には、信号対雑音比、モジュレーションエラーレート、ビットエラーレート、ブロックエラーレート、またはフレームエラーレートのいずれかを前記誤り訂正手段により誤り訂正される誤り率として計算させるようにすることができる。
【００２７】
本発明の一側面の受信方法およびプログラムは、多チャンネルの番組が時分割送信される放送波を受信する受信ステップ（例えば、図３のステップＳ３）と、前記受信ステップの処理で受信した放送波に基づいた放送信号を増幅する増幅ステップ（例えば、図３のステップＳ４，Ｓ５，Ｓ７）と、前記増幅ステップの処理により増幅された放送信号を復調する復調ステップ（例えば、図４のステップＳ２１）と、前記復調ステップの処理により復調される際に発生する誤りを訂正する誤り訂正ステップ（例えば、図４のステップＳ２３，Ｓ２９，Ｓ３６）と、前記誤り訂正ステップの処理により誤り訂正される誤り率を計算する誤り率計算ステップ（例えば、図６のステップＳ８４，Ｓ８８，Ｓ９１）と、前記増幅ステップの処理における複数の動作状態に動作を切り替える動作切替ステップ（例えば、図５のステップＳ５１，Ｓ５４，Ｓ５７，Ｓ６０，Ｓ６３，Ｓ６６）と、前記動作切替ステップの処理により切り替えられる複数の動作状態毎に、前記誤り率を比較する比較ステップ（例えば、図５のステップＳ６９）と、前記比較ステップの処理での比較結果に基づいて、最も誤り率が低い動作状態に前記増幅手段の動作状態を調整する調整ステップ（例えば、図５のステップＳ７０）とを含む。
【００２８】
図１は、本発明を適用した実施の形態を示す受信装置の構成例である。
【００２９】
受信装置１は、DVB-H（Digital Video Broadcasting Handheld）方式に代表される携帯端末向けに多チャンネルの番組を時分割多重化して送信してくる放送波を、アンテナ２を介して受信し、CRT（Cathode Ray Tube）やLCD（Liquid Crystal Display）などからなる表示部３に画像として、スピーカ４に音声として、それぞれ出力させる。
【００３０】
高周波処理部１１は、増幅部２１、バイパススイッチ２２、可変増幅部２３、周波数変換部２４、および、可変増幅部２５より構成されており、電源制御部１６より供給されてくる電力により駆動し、アンテナより受信される放送信号を高周波処理し、復調部１２に供給する。
【００３１】
ここで、図２を参照して、時分割多重化して多チャンネルの放送信号を送信するDVB-H方式について説明する。すなわち、図２の最上段で示されるように、複数の多チャンネルの放送信号として番組ａ乃至ｅの５チャンネルの番組を時分割多重化する場合、図２の上から２段目で示されるように、通常のテレビジョン受像機に送信される番組Ａの放送信号と異なり、図２の３段目で示されるように、大きな帯域幅で、番組ａの放送信号、番組ｂの放送信号、番組ｃの放送信号、番組ｄの放送信号、番組ｅの放送信号・・・と順次所定時間間隔で送信するチャンネルを切り替えて送信する。通常のテレビジョン受像機に送信される番組Ａの放送信号は、図２の上から４段目で示されるように連続的に放送され続ける。
【００３２】
従って、操作部１５により番組ａが選択されていた場合、図２の最下段で示されるように、図中の実線の矢印で示される区間に当たる番組ａが受信されているタイミングにのみ、放送信号が受信されると共に、演算処理部１４に対して選択された番組の放送信号を受信していることを示す信号を供給する。尚、図中の点線の矢印で示される区間は、番組ａ以外の番組の放送信号が配信されている期間となる。
【００３３】
ここで、図１の説明に戻る。高周波処理部１１の増幅部２１は、固定倍率で受信されてくる放送信号を増幅して可変増幅部２３に供給する。バイパススイッチ２２は、演算処理部１４のゲイン制御部６６により制御され、通常は、OFFの状態とされているが、受信されてくる放送信号の強度が強すぎるなどして、増幅部２１により増幅すると飽和してしまうような状態のとき、ONの状態にされ、放送信号が増幅部２１をバイパスして可変増幅部２３に供給される。
【００３４】
可変増幅部２３は、ゲイン制御部６６により増幅率が制御されており、制御された倍率で供給されてきた放送信号を増幅して周波数変換部２４に供給する。周波数変換部２４は、可変増幅部２３により増幅された放送信号の周波数を変換し可変増幅部２５に供給する。可変増幅部２５は、ゲイン制御部６６により増幅率が制御されており、制御された倍率で、周波数変換部２４より供給されてきた放送信号を増幅して復調部１２に供給する。
【００３５】
復調部１２の復調処理部４１は、可変増幅部２５より供給されてくる放送信号を復調してビットカウンタ４２に供給する。
【００３６】
ビットカウンタ４２は、復調処理されたビットデータ数をカウントすると共に復調されたビットデータをビット誤り訂正部４３に供給する。ビット誤り訂正部４３は、例えば、ビタビアルゴリズムによりビット単位でデータ誤りを訂正し、ビット誤りカウンタ４４に供給する。ビット誤りカウンタ４４は、ビット誤り訂正部４３により誤りがあり訂正されている場合、そのデータ数をカウントし、供給されてきた訂正されているビットデータをブロックカウンタ４５に供給する。
【００３７】
ブロックカウンタ４５は、復調処理されたビットデータ数が、画像処理を実行する１ブロック（例えば、DCT（Discrete Cosine Transform）処理におけるDCTブロック）分となったときブロック数をカウントすると共に復調されたビットデータをブロック誤り訂正部４６に供給する。ブロックカウンタ４５は、より詳細には、バイトカウンタから構成されており、バイトカウンタにより１ブロック分となる２０４バイトカウント毎に１ブロックをカウントする。ブロック誤り訂正部４６は、ブロックカウンタ４５を介して供給されるビットデータをバッファ４６ａに蓄積し、リードソロモンアルゴリズムによる処理に必要とされる１ブロック分のデータが蓄積されると、その１ブロック分のデータを用いて、リードソロモンアルゴリズムによりブロック単位でデータ誤りを訂正し、ブロック誤りカウンタ４７に供給する。ブロック誤りカウンタ４７は、ブロック誤り訂正部４６により誤りがあり訂正されている場合、そのブロック数をカウントし、供給されてきた訂正されているブロック単位のデータをフレームカウンタ４８に供給する。
【００３８】
フレームカウンタ４８は、復調処理されたビットデータ数が、リードソロモンアルゴリズムによる処理に必要とされる１フレーム分となったときフレーム数をカウントすると共に復調されたビットデータをフレーム誤り訂正部４９に供給する。フレーム誤り訂正部４９は、フレームカウンタ４８を介して供給されるビットデータをバッファ４９ａに蓄積し、リードソロモンアルゴリズムによる処理に必要とされる１フレーム分のデータが蓄積されると、その１フレーム分のデータを用いて、リードソロモンアルゴリズムによりフレーム単位でデータ誤りを訂正し、フレーム誤りカウンタ５０に供給する。フレーム誤りカウンタ５０は、フレーム誤り訂正部４９により誤りがあり訂正されている場合、そのフレーム数をカウントし、供給されてきた訂正されているフレーム単位のデータをデータ処理部１３に供給する。
【００３９】
データ処理部１３は、フレーム誤りカウンタ５０を介して供給されてくるフレーム誤り訂正部４９により誤り訂正されたデータに基づいて、画像を生成して表示部３に表示すると共に、音声をスピーカ４より出力させる。また、放送波には、時分割多重化されている各チャンネルの次回送信タイミングの情報が含まれているので、データ処理部１３は、その情報に基づいて、受信タイミングを認識し、その情報を調整部６５に供給する。調整部６５のタイミング判定部６５ａは、この情報に基づいて、操作部１５により選択されたチャンネルの放送信号を受信していないタイミングを判定し、電源制御部１６に供給する。
【００４０】
ビットエラーレート計算部６１は、エラーレート切替部６４により制御され、ビットカウンタ４２の値BCと、ビット誤りカウンタ４４の値BECに基づいて、ビットエラーレートBERを計算してエラーレート切替部６４に供給する。
【００４１】
フレームエラーレート計算部６２は、エラーレート切替部６４により制御され、フレームカウンタ４８の値FCと、フレーム誤りカウンタ５０の値FECに基づいて、フレームエラーレートFERを計算してエラーレート切替部６４に供給する。
【００４２】
ブロックエラーレート計算部６３は、エラーレート切替部６４により制御され、ブロックカウンタ４５の値BLCと、フレーム誤りカウンタ４７の値BLECに基づいて、ビットエラーレートBERを計算してエラーレート切替部６４に供給する。
【００４３】
エラーレート切替部６４は、操作部１５からの操作信号に基づいて、ビットエラーレート、ブロックエラーレート、またはフレームエラーレートのいずれか使用が選択されたエラーレートをビットエラーレート計算部６１、ブロックエラーレート計算部６３、または、フレームエラーレート計算部６２に対して要求し取得すると共に、調整部６５に供給する。
【００４４】
調整部６５は、タイミング判定部６５ａ、エラーレート比較部６５ｂ、および動作切替部６５ｃを備えており、タイミング判定部６５ａを制御して、操作部１５により選択されたチャンネルの放送信号を受信していないタイミングとなったとき、動作切替部６５ｃを制御して、所定の間隔でゲイン制御部６６によりバイパススイッチ２２のオンオフ、および可変増幅部２３，２５のそれぞれの増幅率の組み合わせからなる複数の動作モードを切替させる。さらに、調整部６５は、各動作モードにおけるエラーレートを比較し、最もエラーレートの低い動作モードとなるように、ゲイン制御部６６を制御して、バイパススイッチ２２のオンオフ、および可変増幅部２３，２５のそれぞれの増幅率の組み合わせに調整させる。
【００４５】
電源制御部１６は、タイミング判定部６５ａより供給されてくる操作部１５により選択されている放送信号が送信されているタイミングの情報に基づいて、高周波処理部１１および復調部１２に対して電力を供給し、動作を実行させる。
【００４６】
次に、図３のフローチャートを参照して、図１の受信装置１による受信処理について説明する。
【００４７】
ステップＳ１において、タイミング判定部６５ａは、操作部１５により選択されている放送信号が送信されているタイミングであるか否かを判定し、送信されてくるタイミングまで同様の処理を繰り返す。そして、ステップＳ１において、操作部１５により選択されている放送信号が送信されているタイミングである場合、ステップＳ２において、電力制御部１６は、高周波処理部１１および復調部１２に対して電力を供給し、動作可能な状態にする。
【００４８】
ステップＳ３において、タイミング判定部６５ａは、送信されてきた放送信号をアンテナ２を介して受信し増幅部２１およびバイパススイッチ２２に供給する。
【００４９】
尚、最初の処理の場合、データ処理部１３は、操作部１５により選択されている放送信号が送信されているタイミングを十分に抽出できないので、タイミング判定部６５ａの判断とは無関係に受信を開始する。すなわち、常に受信するタイミングであるものとして処理が実行される。また、ゲイン制御部６５は、バイパススイッチ２２をOFFの状態とし、可変増幅部２３の増幅率を高い増幅率Hに設定し、可変増幅部２５の増幅率を低めの増幅率Lに設定する。
【００５０】
また、可変増幅部２３，２５のそれぞれの増幅率は、具体的な値で設定することが可能であるが、以降の説明において、高い増幅率H、中程度の増幅率M、および低い増幅率Lとの表現により増幅率が表現されるが、それらは、可変増幅部２３，２５における増幅率の相対的な関係を示しているものである。従って、可変増幅部２３が高い増幅率Hであって、可変増幅部２５の増幅率が低い増幅率Lであるとは、可変増幅部２３の増幅率が、可変増幅部２５の増幅率に対して高い増幅率であることを示しており、可変増幅部２３が中程度の増幅率Mであって、可変増幅部２５の増幅率が低い増幅率Lであるとは、可変増幅率１４の増幅率が、可変増幅部２５の増幅率に対して高い増幅率であるが、可変増幅部２３の増幅率が高い増幅率Hであるときよりも、可変増幅部２５の増幅率Lに近い値であることを示している。
【００５１】
ステップＳ４において、増幅部２１は、供給されてきた放送信号を所定の倍率で増幅して可変増幅部２３に供給する。
【００５２】
ステップＳ５において、可変増幅部２３は、供給されてきた放送信号をゲイン制御部６５により設定された増幅率で増幅して周波数変換部２４に供給する。
【００５３】
ステップＳ６において、周波数変換部２４は、可変増幅部２３より増幅された状態で供給されてくる高周波の放送信号を周波数変換して中間周波の放送信号にして可変増幅部２５に供給する。
【００５４】
ステップＳ７において、可変増幅部２５は、周波数変換部２４より供給されてくる放送信号をゲイン制御部６５により設定された増幅率で増幅して周波数変換部２４に供給する。
【００５５】
ステップＳ８において、復調部１２は、復調処理を実行し、復調結果をデータ処理部１３に供給する。
【００５６】
ここで、図４のフローチャートを参照して、復調処理について説明する。
【００５７】
ステップＳ２１において、復調処理部４１は、可変増幅部２５より供給されてくる放送信号に基づいて、復調処理を実行し、可変増幅部２５より供給されてくる放送信号を復調してビットカウンタ４２に供給する。
【００５８】
ステップＳ２２において、ビットカウンタ４２は、復調処理されたビットデータ数をカウントすると共に復調されたビットデータをビット誤り訂正部４３に供給する。
【００５９】
ステップＳ２３において、ビット誤り訂正部４３は、ビタビアルゴリズムによりビット単位でデータ誤りを訂正し、ビット誤りカウンタ４４に供給する。
【００６０】
ステップＳ２４において、ビット誤りカウンタ４４は、ビット誤り訂正部４３により誤りがあり訂正されているか否かを判定し、ビット誤り訂正部４３により誤りがあり訂正されている場合、ステップＳ２５において、ビット誤りデータとしてカウントする。
【００６１】
そして、ステップＳ２６において、ビット誤りカウンタ４４は、供給されてきた訂正されているビットデータ（または、訂正不要で復調されてきたままのビットデータ）をブロックカウンタ４５に供給する。
【００６２】
尚、ステップＳ２４において、ビット誤り訂正部４３により誤りがなく訂正されていない場合、ステップＳ２５の処理は、スキップされる。
【００６３】
ステップＳ２７において、ブロックカウンタ４５は、供給されてきたビットデータに基づいて、リードソロモンアルゴリズムの処理で必要と１ブロック分の復調結果がブロック誤り訂正部４６に格納されているか否か、すなわち、リードソロモンアルゴリズムの処理で必要とされる１ブロック分のビットデータとして供給されてきているか否かを判定し、リードソロモンアルゴリズムの処理で必要とされる１ブロック分の復調結果が存在すると判定した場合、処理は、ステップＳ２８に進む。
【００６４】
ステップＳ２８において、ブロックカウンタ４５は、復調処理されたビットデータ数が、リードソロモンアルゴリズムの処理で必要とされる１ブロック（例えば、DCT（Discrete Cosine Transform）処理におけるDCTブロック）分となったときブロック数をカウントすると共に復調されたビットデータをブロック誤り訂正部４６に供給する。
【００６５】
ステップＳ２９において、ブロック誤り訂正部４６は、ブロックカウンタ４５を介して供給されるビットデータをバッファ４６ａに蓄積し、１ブロック分のデータを用いて、例えば、リードソロモンアルゴリズムによりブロック単位でデータ誤りを訂正し、ブロック誤りカウンタ４７に供給する。
【００６６】
ステップＳ３０において、ブロック誤りカウンタ４７は、ブロック誤り訂正部４６により誤りがあり訂正されているか否かを判定し、例えば、ブロック誤り訂正部４６により誤りがあり訂正されている場合、ステップＳ３１において、そのブロック数をカウントする。
【００６７】
ステップＳ３２において、ブロック誤りカウンタ４７は、供給されてきた訂正されているブロック単位のデータをフレームカウンタ４８に供給する。
【００６８】
尚、ステップＳ２７において、リードソロモンアルゴリズムの処理で必要とされる１ブロック分のビットデータが存在しないと判定された場合、ステップＳ３３において、ブロック誤り訂正部４６は、ブロックカウンタ４５を介して供給されるビットデータをバッファ４６ａに蓄積し、処理は、終了する。また、ステップＳ３０において、ブロック誤り訂正部４６により誤りがなく訂正されていない場合、ステップＳ３１の処理は、スキップされる。
【００６９】
ステップＳ３４において、フレームカウンタ４８は、供給されてきたビットデータに基づいて、１フレーム分の復調結果がフレーム誤り訂正部４９に格納されているか否か、すなわち、リードソロモンアルゴリズムの処理で必要とされる１フレーム分のビットデータとして供給されてきているか否かを判定し、リードソロモンアルゴリズムの処理で必要とされる１フレーム分の復調結果が存在すると判定した場合、処理は、ステップＳ３５に進む。
【００７０】
ステップＳ３５において、フレームカウンタ４８は、フレーム数をカウントすると共に復調されたビットデータをフレーム誤り訂正部４９に供給する。
【００７１】
ステップＳ３６において、フレーム誤り訂正部４９は、フレームカウンタ４８を介して供給されるビットデータをバッファ４９ａに蓄積し、１フレーム分のデータを用いて、例えば、リードソロモンアルゴリズムによりフレーム単位でデータ誤りを訂正し、フレーム誤りカウンタ５０に供給する。
【００７２】
ステップＳ３７において、フレーム誤りカウンタ５０は、フレーム誤り訂正部４９により誤りがあり訂正されているか否かを判定し、フレーム誤り訂正部４９により誤りがあり訂正されている場合、ステップＳ３８において、そのフレーム数をカウントする。
【００７３】
ステップＳ３９において、フレーム誤りカウンタ５０は、供給されてきた訂正されているフレーム単位のデータをデータ処理部１３に供給する。
【００７４】
尚、ステップＳ３４において、リードソロモンアルゴリズムの処理で必要とされる１フレーム分のビットデータが存在しないと判定された場合、ステップＳ４０において、フレーム誤り訂正部４９は、フレームカウンタ４８を介して供給される１ブロック分のビットデータをバッファ４９ａに蓄積し、処理は、終了する。また、ステップＳ３７において、フレーム誤り訂正部４９により誤りがなく訂正されていない場合、ステップＳ３８の処理は、スキップされる。
【００７５】
以上の処理により、ビットカウンタ４２、ブロックカウンタ４５、フレームカウンタ４８には、それぞれ復調処理されたビットデータ数、ブロック数、またはフレーム数がカウントされ、さらに、ビット誤りカウンタ４４、ブロック誤りカウンタ４７、フレーム誤りカウンタ５０には、それぞれ復調処理された後、ビット誤りの発生したデータ数、ブロック誤りの発生したデータ数、およびフレーム誤りの発生した数がカウントされる。
【００７６】
ここで、図３のフローチャートの説明に戻る。
【００７７】
ステップＳ８において、復調処理が終了すると、ステップＳ９において、データ処理部１３は、操作部１５により指定されている誤り訂正方法の誤り訂正結果を用いてデータ処理を実行し、画像信号を生成すると共に音声信号を生成し、それぞれ表示部３およびスピーカ４に出力する。
【００７８】
ステップＳ１０において、表示部３およびスピーカ４は、それぞれ画像および音声を出力する。
【００７９】
ステップＳ１１において、演算処理部１４の調整部６５は、タイミング判定部６５ａを制御して、操作部１５により選択されている放送信号が送信されている状態が継続しているか否かを判定し、受信が継続している場合、処理は、ステップＳ２に戻る。すなわち、操作部１５により選択されている放送信号が送信されている限り、ステップＳ３乃至Ｓ１１の処理を繰り返す。
【００８０】
そして、ステップＳ１１において、操作部１５により選択されている放送信号が終了していると判定された場合、ステップＳ１２において、演算処理部１４は、調整処理を実行しバイパススイッチ２２、および可変増幅部２３，２５を調整する。
【００８１】
ここで、図５のフローチャートを参照して、調整処理について説明する。
【００８２】
ステップＳ５１において、調整部６５の動作切替部６５ｃは、ゲイン制御部６６を制御して、バイパススイッチ２２をOFFに、可変増幅部２３の増幅率を高い増幅率Hに、可変増幅部２５の増幅率を低い増幅率Lにする動作モードに切り替えさせる。
【００８３】
ステップＳ５２において、エラーレート比較部６５ｂは、エラーレート切替部６４に要求し、エラーレートを計算させる。この処理により、エラーレート切替部６４は、操作部１５により指定されているエラー訂正方法に対応して、ビットエラーレート計算部６１、フレームエラーレート計算部６２、およびブロックエラーレート計算部６３のいずれかに対して、エラーレート計算処理を実行させ、計算されたエラーレートを取得する。
【００８４】
ここで、図６のフローチャートを参照して、エラーレート計算処理について説明する。
【００８５】
ステップＳ８１において、エラーレート切替部６４は、エラーレートとしてビットエラーレートが指定されているか否かを判定する。ステップＳ８１において、ビットエラーレートが指定とされている場合、ステップＳ８２において、エラーレート切替部６４は、ビットエラーレート計算部６１に対してビットエラーレートを要求する。これに応じて、ビットエラーレート計算部６１は、ビットカウンタ４２にアクセスし、ビットカウンタBCを読み出す。
【００８６】
ステップＳ８３において、ビットエラーレート計算部６１は、ビット誤りカウンタ４４よりビット誤りカウンタBECを読み出す。
【００８７】
ステップＳ８４において、ビットエラーレート計算部６１は、ビットカウンタBCとビット誤りカウンタBECに基づいて、ビットエラーレートBER（＝BEC／BC）を計算し、エラーレート切替部６４に供給する。エラーレート切替部６４は、供給されてきたビットエラーレートBERを調整部６５のエラーレート比較部６５ｂに供給する。尚、ビットエラーレートBERを計算するに当たり、ビットカウンタBCは、直近の所定数であり、ビット誤りカウンタBECは、直近の所定数のビットデータのうちの誤り訂正ビットデータ数を示す。
【００８８】
一方、ステップＳ８１において、ビットエラーレートが指定されていない場合、処理は、ステップＳ８５に進む。
【００８９】
ステップＳ８５において、エラーレート切替部６４は、ブロックエラーレートが指定されているか否かを判定する。ステップＳ８５において、ブロックエラーレートが指定されている場合、ステップＳ８６において、エラーレート切替部６４は、ブロックエラーレート計算部６３に対してブロックエラーレートを要求する。これに応じて、ブロックエラーレート計算部６３は、ブロックカウンタ４５にアクセスし、ブロックカウンタBLCを読み出す。
【００９０】
ステップＳ８７において、ブロックエラーレート計算部６３は、ブロック誤りカウンタ４７よりブロック誤りカウンタBLECを読み出す。
【００９１】
ステップＳ８８において、ブロックエラーレート計算部６３は、ブロックカウンタBLCとブロック誤りカウンタBLECに基づいて、ブロックエラーレートBLER（＝BLEC／BLC）を計算し、エラーレート切替部６４に供給する。エラーレート切替部６４は、供給されてきたブロックエラーレートBLERを調整部６５のエラーレート比較部６５ｂに供給する。尚、ブロックエラーレートBLERを計算するに当たり、ブロックカウンタBLCは、直近の所定数であり、ブロック誤りカウンタBLECは、直近の所定数のブロックのデータのうちの誤り訂正ブロック数を示す。
【００９２】
さらに、ステップＳ８５において、ブロックエラーレートが指定されていない場合、すなわち、ビットエラーレートも、ブロックエラーレートも求められていない場合、フレームエラーレートが求められていることになるので、処理は、ステップＳ８９に進む。
【００９３】
ステップＳ８９において、エラーレート切替部６４は、フレームエラーレート計算部６２に対してフレームエラーレートを要求する。これに応じて、フレームエラーレート計算部６２は、フレームカウンタ４８にアクセスし、フレームカウンタFCを読み出す。
【００９４】
ステップＳ９０において、フレームエラーレート計算部６２は、フレーム誤りカウンタ５０よりフレーム誤りカウンタFECを読み出す。
【００９５】
ステップＳ９１において、フレームエラーレート計算部６２は、フレームカウンタFCとフレーム誤りカウンタFECに基づいて、フレームエラーレートFER（＝FEC／FC）を計算し、エラーレート切替部６４に供給する。エラーレート切替部６４は、供給されてきたフレームエラーレートFERを調整部６５のエラーレート比較部６５ｂに供給する。尚、フレームエラーレートFERを計算するに当たり、フレームカウンタFCは、直近の所定数であり、フレーム誤りカウンタFECは、直近の所定数のフレームのデータのうちの誤り訂正フレーム数を示す。
【００９６】
以上の処理により、ビットエラーレートBER、ブロックエラーレートBLER、またはフレームエラーレートFERのうちのいずれか調整に使用することが指定されている種類のエラーレートが計算されて、調整部６５のエラーレート比較部６５ｂに供給される。
【００９７】
ここで、図５のフローチャートの説明に戻る。
【００９８】
ステップＳ５２において、エラーレート計算処理が実行されると、ステップＳ５３において、エラーレート比較部６５ｂは、供給されてきたエラーレートを動作モードの種類に対応付けてエラーレートFHLとして記憶する。
【００９９】
ステップＳ５４において、調整部６５の動作切替部６５ｃは、ゲイン制御部６６を制御して、バイパススイッチ２２をOFFに、可変増幅部２３の増幅率を中程度の増幅率Mに、可変増幅部２５の増幅率を低い増幅率Lにする動作モードに切り替えさせる。
【０１００】
ステップＳ５５において、エラーレート比較部６５ｂは、エラーレート切替部６４に要求し、エラーレートを計算させる。この処理により、エラーレート切替部６４は、操作部１５により指定されているエラーレートの種類に対応して、ビットエラーレート計算部６１、フレームエラーレート計算部６２、およびブロックエラーレート計算部６３のいずれかに対して、エラーレート計算処理を実行させ、計算されたエラーレートを取得する。尚、エラーレート計算処理については、図６のフローチャートを参照して説明した処理と同様であるので、その説明は省略する。また、以降において、ステップＳＳ５８，Ｓ６１，Ｓ６４，Ｓ６７の処理についても同様であるので、同様に、処理の説明は省略するものとする。
【０１０１】
ステップＳ５６において、エラーレート比較部６５ｂは、供給されてきたエラーレートを動作モードの種類に対応付けてエラーレートFMLとして記憶する。
【０１０２】
ステップＳ５７において、調整部６５の動作切替部６５ｃは、ゲイン制御部６６を制御して、バイパススイッチ２２をOFFに、可変増幅部２３の増幅率を低い増幅率Lに、可変増幅部２５の増幅率を高い増幅率Hにする動作モードに切り替えさせる。
【０１０３】
ステップＳ５８において、エラーレート比較部６５ｂは、エラーレート切替部６４に要求し、エラーレートを計算させる。
【０１０４】
ステップＳ５９において、エラーレート比較部６５ｂは、供給されてきたエラーレートを動作モードの種類に対応付けてエラーレートFLHとして記憶する。
【０１０５】
ステップＳ６０において、調整部６５の動作切替部６５ｃは、ゲイン制御部６６を制御して、バイパススイッチ２２をONに、可変増幅部２３の増幅率を高い増幅率Hに、可変増幅部２５の増幅率を低い増幅率Lにする動作モードに切り替えさせる。
【０１０６】
ステップＳ６１において、エラーレート比較部６５ｂは、エラーレート切替部６４に要求し、エラーレートを計算させる。
【０１０７】
ステップＳ６２において、エラーレート比較部６５ｂは、供給されてきたエラーレートを動作モードの種類に対応付けてエラーレートNHLとして記憶する。
【０１０８】
ステップＳ６３において、調整部６５の動作切替部６５ｃは、ゲイン制御部６６を制御して、バイパススイッチ２２をONに、可変増幅部２３の増幅率を中程度の増幅率Mに、可変増幅部２５の増幅率を低い増幅率Lにする動作モードに切り替えさせる。
【０１０９】
ステップＳ６４において、エラーレート比較部６５ｂは、エラーレート切替部６４に要求し、エラーレートを計算させる。
【０１１０】
ステップＳ６５において、エラーレート比較部６５ｂは、供給されてきたエラーレートを動作モードの種類に対応付けてエラーレートNMLとして記憶する。
【０１１１】
ステップＳ６６において、調整部６５の動作切替部６５ｃは、ゲイン制御部６６を制御して、バイパススイッチ２２をONに、可変増幅部２３の増幅率を低い増幅率Lに、可変増幅部２５の増幅率を高い増幅率Hにする動作モードに切り替えさせる。
【０１１２】
ステップＳ６７において、エラーレート比較部６５ｂは、エラーレート切替部６４に要求し、エラーレートを計算させる。
【０１１３】
ステップＳ６８において、エラーレート比較部６５ｂは、供給されてきたエラーレートを動作モードの種類に対応付けてエラーレートNLHとして記憶する。
【０１１４】
ステップＳ６９において、エラーレート比較部６５ｂは、エラーレートFHL，FML，FLH，NHL，NML，NLHの大きさを比較し最小のものを選択する。
【０１１５】
ステップＳ７０において、調整部６５は、エラーレート比較部６５ｂにより選択されたエラーレートが最小となるエラーレートに対応する動作モードとなるように、ゲイン制御部６６を制御して、バイパススイッチ２２、および可変増幅部２３，２５の動作を調整する。すなわち、エラーレートFHLが最小となる場合、ステップＳ５１で示される処理と同様の動作モードとなるようにゲイン制御部６６させ、エラーレートFMLが最小となる場合、ステップＳ５４で示される処理と同様の動作モードとなるようにゲイン制御部６６させ、エラーレートFLHが最小となる場合、ステップＳ５７で示される処理と同様の動作モードとなるようにゲイン制御部６６させ、エラーレートNHLが最小となる場合、ステップＳ６０で示される処理と同様の動作モードとなるようにゲイン制御部６６させ、エラーレートNMLが最小となる場合、ステップＳ６３で示される処理と同様の動作モードとなるようにゲイン制御部６６させ、エラーレートNLHが最小となる場合、ステップＳ６６で示される処理と同様の動作モードとなるようにゲイン制御部６６させる。
【０１１６】
ここで、図３のフローチャートの説明に戻る。
【０１１７】
ステップＳ１２の調整処理が終了すると、ステップＳ１３において、電源制御部１６は、高周波処理部１１および復調処理部１２への電力供給を停止し、処理は、ステップＳ１に戻る。
【０１１８】
以上の処理によりバイパススイッチ２２の動作状態、および、可変増幅部２３，２５の増幅率の組み合わせに応じてエラーレートを求めて、その中で、最もエラーレートの低い動作モードを選択して調整することが可能となる。
【０１１９】
例えば、受信されている放送信号のレベルが高く、増幅部２１による増幅によりレベルが飽和して後段の処理でエラーが発生しているような場合、バイパススイッチ２２がONとされることにより、増幅部２１をバイパスさせて放送信号を可変増幅器１４に導入することが可能となる。また、可変増幅部２３，２５の組み合わせとしては、通常は、可変増幅部２３を高い増幅率とし、可変増幅部２５を低い増幅率とすることにより、周波数変換部２４に供給する放送信号のレベルを上げることにより、所望とする信号を周波数変換させ、その後に、復調に必要な低い増幅率とさせている。しかしながら、所望とする放送波の近傍の帯域にレベルの高い妨害電波などが発生していると、所望としていない電波を増幅させてしまい、所望としていない信号をも周波数変換させてしまい、結果として、エラーレートが上昇してしまうことがある。このような場合、可変増幅部２３の増幅率を中程度に下げ、可変増幅部２５の増幅率を維持したり、または、可変増幅部２３の増幅率を低く下げ、可変増幅部２５の増幅率を高くするといったことにより、所望としている信号のみを、より有効に復調部１２に供給することで、エラーレートが下がるといったこともある。
【０１２０】
そこで、上述したステップＳ５１，Ｓ５４，Ｓ５７，Ｓ６０，Ｓ６３，Ｓ６６などのようにバイパススイッチ２２および可変増幅部２３，２５の動作の組み合わせを切り替えて、それぞれのエラーレートを比較することにより、最もエラーレートの低い動作とすることで最適な状態で受信できるようにすることが可能となる。また、動作の組み合わせを増やすことで、さらに、最適な状態を見つけ出すことが可能となる。
【０１２１】
さらに、上述した調整処理は、選択されているチャンネルの放送信号を受信していないタイミングで実行されることになるので、受信中の画像や音声が途切れるといった事を生じさせることなく、最適な状態で受信を継続させることが可能となる。
【０１２２】
また、調整処理が終了すると、次の受信タイミングとなり、ステップＳ２の処理により電力供給が開始されるまでの時間は、ステップＳ１３の処理により、電力供給が停止されることになるので、短時間ながらも消費電力が発生しない状態となる。そして、同様の処理が繰り返されることにより、電力供給を停止させる期間が繰り返し設けられることになるので、結果として、消費電力を低減させることが可能となる。
【０１２３】
さらに、調整処理が終了すると、次の受信タイミングまでの時間は、ステップＳ１３の処理により、消費電力が発生しない状態となるため、調整処理に要する時間を短くするほど低消費電力化することが可能となる。さらに、調整処理において、ビットエラーレート、ブロックエラーレート、およびフレームエラーレートの順にエラーレートの計算に使用される時間が長くなる。すなわち、ビットエラーレートは、数ビット程度の情報があればエラーレートが求められるが、ブロックエラーレートについては、数ブロック分の情報が必要となり、さらに、フレームエラーレートについては、数フレーム分の情報が必要となるため、そのデータの収集に時間が必要となるため、全体としてエラーレートの計算に処理時間が必要となる。しかしながら、計算に時間のかかるエラーレートは、多くのデータを使用するため精度の高いエラーレートの情報でもある。そこで、例えば、消費電力を低減させたい場合には、処理時間が短いビットエラーレートによる調整処理を選択するようにし、例えば、電源に不安がなく、より高い精度で受信したい場合には、処理時間がかかるが精度の高いフレームエラーレートによる調整処理を選択するようにしても良い。
【０１２４】
また、以上においては、ビットエラーレート、ブロックエラーレート、およびフレームエラーレートを用いた例について説明してきたが、それ以外のエラーレートを使用するようにしてもよく、例えば、信号対雑音比やモジュレーションエラーレートなどを使用するようにしてもよい。
【０１２５】
以上の如く、本発明によれば、時分割多重された状態で送信される放送波を常に最適な状態で受信させるようにすることが可能となる。
【０１２６】
ところで、上述した一連のテキスト処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、記録媒体からインストールされる。
【０１２７】
図７は、汎用のパーソナルコンピュータの構成例を示している。このパーソナルコンピュータは、CPU(Central Processing Unit)１００１を内蔵している。CPU１００１にはバス１００４を介して、入出力インタフェース１００５が接続されている。バス１００４には、ROM(Read Only Memory)１００２およびRAM(Random Access Memory)１００３が接続されている。
【０１２８】
入出力インタフェース１００５には、ユーザが操作コマンドを入力するキーボード、マウスなどの入力デバイスよりなる入力部１００６、処理操作画面や処理結果の画像を表示デバイスに出力する出力部１００７、プログラムや各種データを格納するハードディスクドライブなどよりなる記憶部１００８、LAN（Local Area Network）アダプタなどよりなり、インターネットに代表されるネットワークを介した通信処理を実行する通信部１００９が接続されている。また、磁気ディスク（フレキシブルディスクを含む）、光ディスク（CD-ROM(Compact Disc-Read Only Memory)、DVD(Digital Versatile Disc)を含む）、光磁気ディスク（ＭＤ(Mini Disc)を含む）、もしくは半導体メモリなどのリムーバブルメディア１０１１に対してデータを読み書きするドライブ１０１０が接続されている。
【０１２９】
CPU１００１は、ROM１００２に記憶されているプログラム、または磁気ディスク、光ディスク、光磁気ディスク、もしくは半導体メモリ等のリムーバブルメディア１０１１から読み出されて記憶部１００８にインストールされ、記憶部１００８からRAM１００３にロードされたプログラムに従って各種の処理を実行する。RAM１００３にはまた、CPU１００１が各種の処理を実行する上において必要なデータなども適宜記憶される。
【０１３０】
尚、本明細書において、記録媒体に記録されるプログラムを記述するステップは、記載された順序に沿って時系列的に行われる処理は、もちろん、必ずしも時系列的に処理されなくとも、並列的あるいは個別に実行される処理を含むものである。
【図面の簡単な説明】
【０１３１】
【図１】本発明を適用した受信装置の構成例を示すブロック図である。
【図２】時分割多重化されて送信される放送信号を説明する図である。
【図３】受信処理を説明するフローチャートである。
【図４】復調処理を説明するフローチャートである。
【図５】調整処理を説明するフローチャートである。
【図６】エラーレート計算処理を説明するフローチャートである。
【図７】パーソナルコンピュータの構成例を説明する図である。
【符号の説明】
【０１３２】
１  受信装置，  １１  高周波処理部，  １２  復調部，  １３  データ処理部，  １４  演算処理部，  １５  操作部，  ２１  増幅部，  ２２  バイパススイッチ，  ２３  可変増幅部，  ２４  周波数変換部，  ２５  可変増幅部，  ４１  復調処理部，  ４２  ビットカウンタ，  ４３  ビット誤り訂正部，  ４４  ビット誤りカウンタ，  ４５  ブロックカウンタ，  ４６  ブロック誤り訂正部，  ４６ａ  バッファ，  ４７  ブロック誤りカウンタ，  ４８  フレームカウンタ，  ４９  フレーム誤り訂正部，  ４９ａ  バッファ，  ５０  フレーム誤りカウンタ，  ６１  ビットエラーレート計算部，  ６２  フレームエラーレート計算部，  ６３  ブロックエラーレート計算部，  ６４  エラーレート切替部，  ６５  調整部，  ６５ａ  タイミング判定部，  ６５ｂ  エラーレート比較部，  ６５ｃ  動作切替部，  ６６  ゲイン制御部
【図１】
2008294614.tif 000003
【図２】
2008294614.tif 000004
【図３】
2008294614.tif 000005
【図４】
2008294614.tif 000006
【図５】
2008294614.tif 000007
【図６】
2008294614.tif 000008
【図７】
2008294614.tif 000009